(57)【要約】【課題】微細構造の平均ピッチを光源像からの光路に沿った長さに応じて小さくした拡散板を備え、照度むらを低減し高品質な画像読取を行うことができる原稿照明装置および画像読取装置を提供する。【解決手段】直線状に配列された線状もしくは複数の点状の光源と、光源から出射した照明光を入射面に入射させる導光体と、導光体の射出面より射出した照明光を拡散させる微細構造を備えた拡散板と、を有する原稿照明装置であって、導光体は、光源の配列方向に周期的に配置された複数の光学面を射出面に備え、複数の光学面の各々は、配列方向にパワーを有する光学面であり、かつ、拡散板は、光学面が形成する光源像の位置から拡散板の位置までの光路に沿った長さをＬ１（ｍｍ）、微細構造の平均ピッチをＰ（ｍｍ）とするとき、以下の式を満たすことを特徴とする。  ０．０１（ｍｍ）＜Ｐ＜Ｌ１【選択図】図１
2014017663.tif 000002
【特許請求の範囲】
【請求項１】
直線状に配列された線状もしくは複数の点状の光源と、前記光源から出射した照明光を入射面に入射させる導光体と、前記導光体の射出面より射出した前記照明光を拡散させる微細構造を備えた拡散板と、を有する原稿照明装置であって、
前記導光体は、前記光源の配列方向に周期的に配置された複数の光学面を前記射出面に備え、前記複数の光学面の各々は、前記配列方向にパワーを有する光学面であり、かつ、
前記拡散板は、前記光学面が形成する光源像の位置から前記拡散板の位置までの光路に沿った長さをＬ１（ｍｍ）、前記微細構造の平均ピッチをＰ（ｍｍ）とするとき、以下の式を満たすことを特徴とする原稿照明装置。
０．０１（ｍｍ）＜Ｐ＜Ｌ１
【請求項２】
前記拡散板の位置から被照明位置までの光路に沿った長さをＬ２（ｍｍ）とするとき、更に以下の式を満たすことを特徴とする請求項１に記載の原稿照明装置。
Ｐ×Ｌ１／｛Ｌ２×（Ｌ１＋Ｌ２）｝＜０．００４
【請求項３】
５．０（ｍｍ）＜Ｌ２＜３０．０（ｍｍ）
を満たすことを特徴とする請求項２に記載の原稿照明装置。
【請求項４】
以下の２つの式を満たすことを特徴とする請求項１乃至３のいずれか１項に記載の原稿照明装置。
６．０（ｍｍ）＜Ｌ１＜２０．０（ｍｍ）
０．０５（ｍｍ）＜Ｐ＜０．２（ｍｍ）
【請求項５】
前記配列方向にパワーを有する光学面は、トーリックアレイであることを特徴とする請求項１乃至４のいずれか１項に記載の原稿照明装置。
【請求項６】
前記拡散板は反射型の拡散板であることを特徴とする請求項１乃至５のいずれか１項に記載の原稿照明装置。
【請求項７】
前記反射型の拡散板を介した照明光路と、前記反射型の拡散板を介さない照明光路とにより原稿面の被照明位置が両側より照明されることを特徴とする請求項６に記載の原稿照明装置。
【請求項８】
前記拡散板は透過型の拡散板であることを特徴とする請求項１乃至５のいずれか１項に記載の原稿照明装置。
【請求項９】
前記透過型の拡散板を介した照明光路と、反射部材を介した照明光路とにより原稿面の被照明位置が両側より照明されることを特徴とする請求項８に記載の原稿照明装置。
【請求項１０】
前記透過型の拡散板は、前記反射部材を介した照明光路に設けられる透過型の拡散板としても兼用されることを特徴とする請求項９に記載の原稿照明装置。
【請求項１１】
前記反射部材に反射型の拡散板が設けられることを特徴とする請求項９に記載の原稿照明装置。
【請求項１２】
前記トーリックアレイは、前記配列方向に直交する方向ではパワーを備えないシリンドリカルアレイであることを特徴とする請求項５に記載の原稿照明装置。
【請求項１３】
請求項１乃至１２のいずれか１項に記載の原稿照明装置と、結像系と、一次元光電変換素子を備えたことを特徴とする画像読取装置。
【発明の詳細な説明】
【技術分野】
【０００１】
本発明は、照度むらを低減し高品質な画像読取を行うことができる原稿照明装置および画像読取装置に関する。
【背景技術】
【０００２】
イメージスキャナー、複写機、ファクシミリなど、原稿面を照明して線順次方式で画像読取りを行う画像読取装置が知られる。この画像読取装置に用いられる原稿照明装置は、直線状に配列された線状（蛍光灯など）もしくは複数の点状（ＬＥＤアレイなど）の光源を用いて原稿面を照明する。
【０００３】
これら画像読取装置用の原稿照明装置として、特許文献１の原稿照明装置は、導光体が主走査方向に周期的に配置された複数のトーリック面（トーリックアレイ）を射出面に備える。それらの面が配列方向にパワーを有していることにより、照明効率を高く維持したまま照度むらを低減する。また、特許文献２の原稿照明装置は、反射部材としての反射板を併用して副走査方向の両側から照明することで、さらに照明効率を高めることができる。
【０００４】
ここで、反射板の反射光路を展開した光路を図１４に示す。図１４（ａ）はトーリックアレイが有る場合を示し、図１４（ｂ）はトーリックアレイが無い場合を示す。図１４では、光源側から入射した光線が原稿面に到達するまでの光線の振る舞いを中央のトーリックアレイについてのみ描画している。実際には複数のトーリックアレイを通過した光線が原稿面で重畳されるが、分かり易くするために省略している。
【０００５】
複数の領域からの光線が重畳されても各領域からの光線の照明幅が広く、それぞれに照度むらが少ないことが原稿照明装置としての照度むらを低減させる重要要素である。図１４（ａ）では、左側から入射した光線は８０３ｂｓに設けられたトーリックアレイによって、光源像が形成される位置に一旦収束してから発散に転じ、反射部材の反射面８０４ａｓを経由して原稿面の被照明位置９０２ｓの主走査方向の照明幅Ａの領域に到達する。
【０００６】
トーリックアレイが無い場合は、図１４（ｂ）で示すように、光源から同じ領域に入射した光線はほぼそのままで原稿面の被照明位置９０２ｓの主走査方向の照明幅Ｂの領域に到達する。
【先行技術文献】
【特許文献】
【０００７】
【特許文献１】特開２００９−０８０１７３号公報
【特許文献２】特開２００４−２３３５１３号公報
【発明の概要】
【発明が解決しようとする課題】
【０００８】
このように、画像読取装置の高性能化要求に従来より対応してきているが、昨今の画像読取装置では更なる高性能化要求が求められる。そこで、本願発明者は拡散板を追加導入して、照度むらをより低減することを検討した。拡散板はトーリックアレイによって、広げられる照度分布をさらに、広げることができ、反射型、透過型ともに特性の異なる拡散板が市販されて様々な選択が可能である。
【０００９】
しかしながら、本願発明者は、複数のトーリック面（トーリックアレイ）となる射出面を備えた導光体に一般的な拡散板を単純に組合せようとすると、以下のように新たな課題が生じることを認識した。即ち、一つ一つのトーリック面から射出した照明光が収束した後に発散して拡散板に入射して、全体のトーリック面から射出した照明光が拡散板で重畳（トーリックアレイによる周期的な重畳）する場合に、その周期が強調された照明むらが発生することを発見した。
【００１０】
特にトーリックアレイのピッチＴに比べ、原稿面における主走査方向の照明幅Ａが広い場合には、重畳する数が多くなり、上述した周期が強調された照明むらが目立ち易くなる。
【００１１】
具体的には、一般的な拡散面として、透過型であれ反射型であれ拡散板として平板を基準に、平均ピッチＰが０．２ｍｍ程度の微細構造付加部を付加することで拡散面を形成した場合、図１５に示すような主走査方向の照度むらが発生する。図１５では、トーリックアレイが有って一般的な拡散板が有る場合の他、トーリックアレイが有って拡散板が無い場合、トーリックアレイと拡散板が共に無い場合も示している。
【００１２】
本発明の目的は、微細構造の平均ピッチを光源像からの光路に沿った長さに応じて小さくした拡散板を備え、照度むらを低減し高品質な画像読取を行うことができる原稿照明装置および画像読取装置を提供することにある。
【課題を解決するための手段】
【００１３】
上記目的を達成するために、本発明は、直線状に配列された線状もしくは複数の点状の光源と、前記光源から出射した照明光を入射面に入射させる導光体と、前記導光体の射出面より射出した前記照明光を拡散させる微細構造を備えた拡散板と、を有する原稿照明装置であって、前記導光体は、前記光源の配列方向に周期的に配置された複数の光学面を前記射出面に備え、前記複数の光学面の各々は、前記配列方向にパワーを有する光学面であり、かつ、前記拡散板は、前記光学面が形成する光源像の位置から前記拡散板の位置までの光路に沿った長さをＬ１（ｍｍ）、前記微細構造の平均ピッチをＰ（ｍｍ）とするとき、以下の式を満たすことを特徴とする。
【００１４】
０．０１（ｍｍ）＜Ｐ＜Ｌ１
また上記原稿照明装置を備えた画像読取装置も本発明の他の一側面を構成する。
【発明の効果】
【００１５】
本発明によれば、微細構造の平均ピッチを光源像からの光路に沿った長さに応じて小さくした拡散板を備え、照度むらを低減し高品質な画像読取を行うことができる。
【図面の簡単な説明】
【００１６】
【図１】（ａ）は本発明の第１の実施形態に係る原稿照明装置の副走査光路を示す断面図、（ｂ）は拡散板の微細構造の平均ピッチＰの説明図である。
【図２】本発明の第１の実施形態に係る原稿照明装置について概要を説明する図である。
【図３】第１の実施形態に係る原稿照明装置の主走査照度分布を説明する図である。
【図４】本発明の第２の実施形態に係る原稿照明装置について概要を説明する図である。
【図５】本発明の第２の実施形態に係る原稿照明装置の副走査光路を示す断面図である。
【図６】第２の実施形態に係る原稿照明装置の主走査照度分布を説明する図である。
【図７】本発明の第３の実施形態に係る原稿照明装置について概要を説明する図である。
【図８】本発明の第３の実施形態に係る原稿照明装置の副走査光路を示す断面図である。
【図９】第３の実施形態に係る原稿照明装置の主走査照度分布を説明する図である。
【図１０】本発明の実施形態における主走査光路と主走査照度分布を示す図である。
【図１１】更にＬ１を小さくしてＬ２を大きくした本発明の実施形態における主走査光路と主走査照度分布を示す図である。
【図１２】比較例における主走査光路と主走査照度分布を示す図である。
【図１３】本発明の実施形態に係る原稿照明装置を搭載した画像読取装置の構成を説明する断面図である。
【図１４】（ａ）は拡散板を用いない従来技術の主走査光路と主走査照度分布を示す図、（ｂ）はトーリックレンズアレイおよび拡散板を用いない従来技術の主走査光路と主走査照度分布を示す図である。
【図１５】従来技術の主走査照度分布を説明する図である。
【発明を実施するための形態】
【００１７】
以下に、本発明の好ましい実施の形態を、添付の図面に基づいて詳細に説明する。
【００１８】
《第１の実施形態》
（画像読取装置）
図１３に、一般的な画像読取装置の主要部分についての断面図を示す。原稿照明装置９０３から出射された照明光は、原稿台ガラス９０１上に置かれた原稿９０２を照明する。原稿面で反射した画像情報を有した光束は、複数の反射ミラー９０５を介して結像レンズ９０６により、主走査方向に配列されたＣＣＤなどの一次元光電変換素子９０７上に結像する。キャリッジ９０４は、モータ９０８により副走査方向に移動して、被照明位置でもある読取り位置９０２ｓを変位させ一次元光電変換素子９０７に接続するＣＰＵ９０９を介して原稿９０２の全体画像情報を読取る。
【００１９】
（原稿照明装置）
図１及び図２を用いて、本実施形態に係る原稿照明装置の概要を示す。光源基板８０１上に実装された光源８０２からの光は、導光体８０３の左側の端面（入射面）から入射し、反射面８０３ａを経由して射出面８０３ｃから射出する。光源８０２としては、直線状に配列された線状（蛍光灯など）もしくは複数の点状（ＬＥＤアレイなど）が用いられる。
【００２０】
被照明位置（読取り位置）を両側から照明するために、原稿台ガラス９０１上の原稿面９０２に到達する光路と、出射面８０３ｂを出射し反射板１０４で反射し原稿台ガラス９０１上の原稿面９０２に到達する光路が設けられる。反射板１０４は、曲面鏡、平面鏡、もしくは曲面状に平面鏡が組み合わせられたものが用いられるが、反射面１０４ａは、後述するような反射型の拡散面となっている。
【００２１】
（トーリックアレイ）
導光体８０３の出射面８０３ｂと８０３ｃには、光源の配列方向に周期的に配置された複数の光学面としてのトーリックアレイが形成されている。トーリックアレイでは、光源の光学像を良好に形成できるので、後述するような条件式と照合する効率的な設計・製造が可能となる。一方、トーリック面から極端にかけ離れた矩形形状や、ランダムな凹凸によるアレイ形状では、拡散板の適切な配置を見積もれず、本発明の効果を得ることが難しくなる。
【００２２】
なお、トーリックアレイであれば、そのパワーは透過作用であっても反射作用であっても本発明の効果を得ることができる。また、トーリックアレイは、主走査方向（光源の配列方向）および副走査方向（光源の配列方向に直交する方向）にパワーを備えるものが代表的であるが、これに限られない。即ち、副走査方向にパワーを備えずに、主走査方向にのみパワーを備えるシリンドリカルアレイをも含むものである。
【００２３】
（拡散板）
１）平均ピッチＰ
平均ピッチＰは、微細構造における複数のピッチの加算平均あるいは周波数解析などにより求められる。
【００２４】
２）拡散板の平均ピッチＰとＬ１の関係
図１（ｂ）に示すように、照度むらを低減し、照明する幅が広い高品質な原稿照明を行うためには、光源像位置からの照明光が拡散板としての反射板１０４（反射型の拡散板）の微細構造付加部を照明することが必要となる。反射板１０４の微細構造付加部を照明するかしないかの境界では、以下の式が成立する。即ち、照明光束通過域の照明角度をθ、反射板１０４の主走査方向の微細構造付加部の平均ピッチをＰ、光源像位置から反射板１０４の拡散面までの光路に沿った長さをＬ１とするとき、以下の（１）式が成立する。
【００２５】
Ｌ１＝Ｐ／（２×ｔａｎ（θ／２））  ・・・（１）
境界条件が上式を満たすことから、一般に拡散板１０４の微細構造付加部を照明する条件としては、以下の（２）式を満足する必要がある。
【００２６】
Ｌ１＞Ｐ／（２×ｔａｎ（θ／２））  ・・・（２）
これを置き換えると、微細構造付加部の平均ピッチＰが以下の（３）式を満足する必要があることが分かる。
【００２７】
Ｐ＜２×Ｌ１×ｔａｎ（θ／２）     ・・・（３）
照明光束通過域の照明角度θは、一般的に５０°〜６０°と考えられるため、（３）式は以下の（４）式に変換されることになる。
【００２８】
Ｐ＜Ｌ１                           ・・・（４）
また、平均ピッチＰは、平板に微細加工する工程の調整によって制御できるが、０．０１ｍｍよりも小さくすると、機械的加工が困難となり、加工コストが高騰してしまう。そこで、以下の（５）式を満足することが好ましいものとなる。
【００２９】
０．０１（ｍｍ）＜Ｐ＜Ｌ１                 ・・・（５）
３）平均ピッチＰとＬ１、Ｌ２の関係
このように拡散板としての反射板１０４の拡散面の微細構造の平均ピッチＰを小さくすることで、一つ一つの微細構造による影も小さくなる。小さくなった影は、拡散板と被照明位置の光路長Ｌ２（ｍｍ）に応じてボケるが、影の幅自体が小さいことからボケによって、原稿面で観測される主走査照度むらは影の幅が大きい従来技術に比べて低減される。
【００３０】
ここで、図１０に示す構成から更に拡散板を左側へ変位させた構成（図１１）に変更すれば、Ｌ１を小さくすることによって、Ｌ２が相対的に伸びるので、影のぼけがより大きくなり、主走査照度むらがより低減される。
【００３１】
本願発明者は拡散板の配置位置に関しても鋭意検討した結果、以下の（６）式を満足すれば照度むらは実用上問題の無い範囲となることを認識するに至った。
【００３２】
Ｐ×Ｌ１／｛Ｌ２×（Ｌ１＋Ｌ２）｝＜０．００４     ・・・（６）
この式に関しては、先ず、照度むらを改善するための条件として、Ｐ／Ｌ２が小さく、かつＬ１／Ｌ２が小さいこと、またＰ／（Ｌ１＋Ｌ２）が小さく、かつＬ１／（Ｌ１＋Ｌ２）が小さいことを基に、分子同士、分母同士を掛け算したパラメータを考えた。そして、このパラメータに関して、照度むらが改善する数値範囲を実験で確認した結果として導出したものである。
【００３３】
（比較例）
図１２は、比較例として、平均ピッチＰが、光源像から拡散板１０４への光路に沿った長さＬ２より大きい構成を示す。このとき、一旦収束した光線が拡散板としての反射板１０４に入射しても、微細構造付加部には至らずに微細構造付加部の間の平面部に入射して反射されるため、照明幅は本実施形態のように照明幅Ｃのように広がらず、従来技術における照明幅Ａと変わらない。
【００３４】
（更に好ましい条件）
更に、以下に述べる複数の式の全て、もしくはその一部を満足すると、より好ましい。
【００３５】
１）拡散板としての反射板１０４の拡散面の位置から原稿面の被照明位置（読取り位置）までの光路に沿った長さＬ２が、以下の（７）式を満たせば、なお良い。
【００３６】
５．０（ｍｍ）＜Ｌ２＜３０．０（ｍｍ）  ・・・（７）
Ｌ２を大きくすれば、照度むらを低減し易くなるが、製品寸法が大きくなって原稿照明装置の大型化と高コスト化を招くので、（７）式の上限値を超えることは好ましくない。また、Ｌ２を小さくして、平均ピッチＰやＬ１を小さくしても照度むらは低減できるが、原稿照明装置として、拡散板と被照射位置を近づけることになる。拡散板と被照射位置の間には原稿台ガラスと空隙を配置する必要があるので、（７）式の下限値を超えると画像読取装置として配置関係が成り立たなくなる。
【００３７】
２）更に、以下の（８）式および（９）式を満たせば、なお良い。
【００３８】
６．０（ｍｍ）＜Ｌ１＜２０．０（ｍｍ）  ・・・（８）
０．０５（ｍｍ）＜Ｐ＜０．２（ｍｍ）    ・・・（９）
（８）式および（９）式の範囲内でＰとＬ１を設定することで、副走査方向の片側にのみ光源を配置して、拡散板を介した照明光路と、拡散板を介さない照明光路とにより原稿面の被照明位置が両側から照明することができるようになる。（８）式で、Ｌ１が下限値を下回ると、読取光が結像系に到達できず、逆に上限値を超えるとＬ２が大きくなるもしくは、Ｐを非常に小さく設定する必要が生じ、原稿照明装置の大型化もしくは高コスト化して好ましくない。
【００３９】
また、この時に（９）式でＰが下限値を下回ると、拡散板の選択肢を必要以上に狭くしてしまい、高コスト化の可能性がある。そして、Ｐが上限値を超えるとＬ２を大きくする必要があって、原稿照明装置を大型化させてしまい好ましくない。
【００４０】
（具体的数値例）
上述したように本実施形態では、反射板１０４は、平均ピッチＰの微細構造が設けられた拡散面を備え、拡散作用を有する拡散板として機能する。そして、導光体８０３の射出面のトーリックアレイによって、トーリックアレイからの光路に沿った長さＦ１の位置に光源像が形成される。また、光源像の位置から反射板１０４の拡散面までの光路に沿った長さがＬ１１、反射板１０４の拡散面から被照明位置（読取り位置）９０２ｓまでの光路に沿った長さがＬ１２で設定されている。具体的には、Ｌ１１＝８ｍｍ、Ｌ１２＝１４ｍｍ、Ｐ１＝０．１ｍｍと設定されている。
【００４１】
本実施形態では、主走査断面内での光線は、図１０のように振る舞う。トーリックアレイの一つから射出した光線による主走査照度分布は、図３のようになり、従来技術に対して照度むらが小さく照明幅が広い良好な状態となる。そして、上述した式（５）乃至式（９）に対しては、具体的に以下のような数値となり、式（５）乃至式（９）の全てを満たす。
【００４２】
（式５）０．０１（ｍｍ）＜Ｐ１＝０．１（ｍｍ）＜Ｌ１１＝８（ｍｍ）
（式６）Ｐ×Ｌ１  ／｛Ｌ１２×（Ｌ１１＋Ｌ１２）｝＝０．００２６＜０．００４
（式７）５．０（ｍｍ）＜Ｌ１２＝１４（ｍｍ）＜３０．０（ｍｍ）
（式８）６．０（ｍｍ）＜Ｌ１１＝８（ｍｍ）＜２０．０（ｍｍ）
（式９）０．０５（ｍｍ）＜Ｐ１＝０．１（ｍｍ）＜０．２（ｍｍ）
以上、本実施形態では上述した構成により、照度むらの小さい原稿照明装置および画像読取装置を提供できる。特に、本実施形態では副走査方向の両側から照明するために必要な反射板を拡散板として用い、部品点数を増やすことが無い。
【００４３】
《第２の実施形態》
次に、図４及び図５を用いて、透過型の拡散板を用いた本実施形態に係る原稿照明装置の概要を示す。光源基板８０１上に実装された光源８０２からの光は、導光体８０３の端面から入射し、反射面８０３ａを経由して射出面８０３ｃから射出し、透過型の拡散板２０５を通過して原稿台ガラス９０１上の原稿面９０２に到達する。拡散板２０５には、平均ピッチＰの微細構造が設けられており、拡散作用を有する。
【００４４】
この光路を一方の光路とするとき、他方の光路では、射出面８０３ｂで出射し反射部材としての反射板８０４で反射して、原稿台ガラス９０１上の原稿面９０２に到達する。これらの双方の光路により、原稿面の被照明位置（読取り位置）が両側照明される。
【００４５】
トーリックアレイの射出面からトーリックアレイによって形成される光源像までの光路に沿った長さがＦ２、光源像から拡散板２０５までの光路に沿った長さがＬ２１、拡散板２０５から読取位置９０２ｓまでの光路に沿った長さがＬ２２に設定されている。具体的数値として、Ｌ２１＝１ｍｍ、Ｌ２２＝７ｍｍ、Ｐ２＝０．０２ｍｍとなっている。
【００４６】
本実施形態では、主走査断面内での光線は図１１のように振る舞う。トーリックアレイの一つから出射した光線による主走査照度分布は、図６のようになり、従来技術に対して照度むらが小さく照明幅が広い良好な状態となる。
【００４７】
上述した式（５）乃至式（７）に対しては、具体的に以下のような数値となり、式（５）乃至式（７）の全てを満たす。
【００４８】
（式５）０．０１（ｍｍ）＜Ｐ２＝０．０２（ｍｍ）＜Ｌ２１＝１（ｍｍ）
（式６）Ｐ×Ｌ２１  ／｛Ｌ２２×（Ｌ２１＋Ｌ２２）｝＝０．０００４＜０．００４
（式７）５．０（ｍｍ）＜Ｌ２２＝７（ｍｍ）＜３０．０（ｍｍ）
以上のように、本実施形態では上述した構成することにより、照度むらの小さい原稿照明装置および画像読取装置を提供できる。特に、本実施形態では、導光体の直上に透過型拡散板を配置する簡単な構成で実現できている。
【００４９】
《第３の実施形態》
次に、図７及び図８を用いて、両側照明のための２つの光路に兼用された単一の透過型の拡散板を用いた、本実施形態に係る原稿照明装置の概要を示す。光源基板８０１上に実装された光源８０２からの光は、導光体の端面（入射面）から入射し、反射面８０３ａを経由して射出面８０３ｃから射出する。そして、平均ピッチＰの微細構造が設けられた透過型の拡散板３０５を通過して、原稿台ガラス９０１上の原稿面９０２に到達する。
【００５０】
この光路を一方の光路とするとき、他方の光路では、射出面８０３ｂで射出し反射部材としての反射板８０４で反射して、原稿台ガラス９０１上の原稿面９０２に到達する。これらの双方の光路により、原稿面９０２の被照明位置（読取り位置）が両側照明される。
【００５１】
トーリックアレイの射出面８０３ｂからトーリックアレイによって形成される光源像までの光路に沿った長さがＦ１、光源像から拡散板３０５までの光路に沿った長さがＬ３１、拡散板３０５から読取位置９０２ｓまでの光路に沿った長さがＬ３２に設定されている。具体的数値としては、Ｌ３１＝１６ｍｍ、Ｌ３２＝６ｍｍ、Ｐ＝０．０２５ｍｍである。主走査断面内での光線は、図１０のように振る舞う。
【００５２】
また、トーリックアレイの射出面８０３ｃから光源像までの光路に沿った長さがＦ２、光源像から拡散板３０５までの光路に沿った長さがＬ４１、拡散板３０５から読取位置９０２ｓまでの光路に沿った長さがＬ４２に設定されている。具体的数値としては、Ｌ４１＝２ｍｍ、Ｌ４２＝６ｍｍである。主走査断面内での光線は、図１１のように振る舞う。
【００５３】
トーリックアレイの一つから出射した光線による主走査照度分布は図９のようになり、従来技術に対して照度むらが小さく照明幅が広い良好な状態となる。
【００５４】
上述した式（）乃至式（）に対しては、具体的に以下のような数値となり、式（）乃至式（）の全てを満たす。
【００５５】
（式５）０．０１（ｍｍ）＜Ｐ３＝０．０２５（ｍｍ）＜Ｌ３１＝１６（ｍｍ）
０．０１（ｍｍ）＜Ｐ３＝０．０２５（ｍｍ）＜Ｌ４１＝２（ｍｍ）
（式６）Ｐ×Ｌ３１  ／｛Ｌ３２×（Ｌ３１＋Ｌ３２）｝＝０．００３＜０．００４
Ｐ×Ｌ４１  ／｛Ｌ４２×（Ｌ４１＋Ｌ４２）｝＝０．０００１＜０．００４
（式７）５．０（ｍｍ）＜Ｌ３２＝６（ｍｍ）＜３０．０（ｍｍ）
５．０（ｍｍ）＜Ｌ４２＝６（ｍｍ）＜３０．０（ｍｍ）
以上のように、本実施形態では上述した構成により、照度むらの小さい原稿照明装置および画像読取装置を提供できる。特に、本実施形態では、導光体の直上に透過型拡散板１枚を配置する簡単な構成で、副走査方向の両側から照明される光線それぞれについて対応できている。
【００５６】
（変形例）
以上、本発明の好ましい実施形態について説明したが、本発明はこれらの実施形態に限定されず、その要旨の範囲内で種々の変形及び変更が可能である。即ち、本発明の構成を含んでいれば、他に光学的機能面を追加しても良く、例えば、屈折面、反射面、回折面等を含んでも十分効果を発揮する。
【００５７】
（変形例１）
上述した実施形態における反射部材としての反射面は、曲面や、平面またはシリンダー面に限定されるものではなく、本発明の効果が期待できる範囲で微小に曲げても良い。また、導光体の材質も光を透過する特性のものであれば良い。
【００５８】
（変形例２）
第１の実施形態の構成と、第２の実施形態の構成と、を組合せることもできる。即ち、反射部材としての反射板を反射型の拡散板として用いる光路を一方の光路とし、透過型の拡散板を介した光路を他方の光路として、両側照明を行うことができる。この場合、反射型の拡散板、透過型の拡散板の双方に対して、それぞれ上述した各条件式を満足するようにすれば良い。
【符号の説明】
【００５９】
１０４・・反射板（反射型の拡散板を兼ねる）、２０５、３０５・・透過型の拡散板、８０２・・光源、８０３・・導光体、８０３ｂ、８０３ｃ・・射出面（トーリックアレイ）
【図３】
2014017663.tif 000003
【図６】
2014017663.tif 000004
【図９】
2014017663.tif 000005
【図１５】
2014017663.tif 000006
【図１】
2014017663.tif 000007
【図２】
2014017663.tif 000008
【図４】
2014017663.tif 000009
【図５】
2014017663.tif 000010
【図７】
2014017663.tif 000011
【図８】
2014017663.tif 000012
【図１０】
2014017663.tif 000013
【図１１】
2014017663.tif 000014
【図１２】
2014017663.tif 000015
【図１３】
2014017663.tif 000016
【図１４】
2014017663.tif 000017